(57)【要約】
【課題】　コンピュータの利用者が該利用者から離れたところにいる第三者に対して呼びかけたり要求がある旨を伝達可能な表示装置を提供すること
【解決手段】　表示装置１は、机上に載置される基台部１０と、該基台部１０に支持された表示装置本体部９０であって表示部２０及び該表示部２０を支える支持枠部３０を備えたもの９０とを有し、コンピュータ本体４に接続される表示装置１であって、表示部２０の支持枠部３０のうち背面３４側からＡ２方向に視認可能な部位３１に配設された発光報知手段４０と、表示装置１の前面３３側に配置され該発光報知手段４０の発光動作を指示する発光指示手段５０とを有する。
【選択図】図１
0003099910.tif 000002
【実用新案登録請求の範囲】
【請求項１】
　机上に載置される基台部と、
　該基台部に支持された表示装置本体部であって表示部及び該表示部を支える支持枠部を備えたものと
を有し、コンピュータ本体に接続される表示装置であって、
　表示装置本体部の支持枠部のうち背面側から視認可能な部位に配設された発光報知手段と、
　表示装置の前面側に配置され該発光報知手段の発光動作を指定する発光指示手段とを有する表示装置。
【請求項２】
　発光報知手段が、支持枠部の背面側から視認可能な部位のうち外周縁部に配設されている請求項１に記載の表示装置。
【請求項３】
　発光報知手段が、表示装置本体部の支持枠部の外周縁部のうち頂縁部に配設されている請求項２に記載の表示装置。
【請求項４】
　発光報知手段が発光指示手段による指定に応じて連続点灯又は点滅するランプ又は固体発光素子からなる請求項１から３までのいずれか一つの項に記載の表示装置。
【請求項５】
　発光指示手段が支持枠部の前面又は側縁に設けられたスイッチからなる請求項１から４までのいずれか一つの項に記載の表示装置。
【請求項６】
　表示部が、ＴＦＴ液晶表示部である請求項１から５までのいずれか一つの項に記載の表示装置。
【考案の詳細な説明】
【技術分野】
【０００１】
　本発明は、表示装置に係り、より詳しくは、コンピュータ本体に接続される表示装置に係る。
【背景技術】
【０００２】
　小・中・高等学校の如き学校や、パーソナルコンピュータ（以下では、「パソコン」ともいう）の使用ないし利用の仕方などを教えるパソコン教室等のような教育施設等においては、前後左右に多数並んだ机の夫々にパソコンの本体に接続された表示装置が載置され、各机に向かって座席に座った生徒が、教師の指導を受けながら、パソコンを操作する。
【０００３】
　各生徒は、自分が使用中のパソコンの操作等に関して教師に質問があったり教師の指導を受けたい場合には、声をあげて挙手するなどの行為を行うことによって教師に知らせる必要がある。従って、当該生徒の側では教師が認知し指導に来るまで挙手を続けると共にその間他の全ての作業等を実際上止める必要があり、教師の側では認知したことを当該生徒に知らしめる必要があるだけでなく複数の生徒の要請を同時に受付けることが出来ないことから、実際上特定の一人の指導が終わる時点で次の一つの要請を受付けることになり、煩雑になり易い。また、指導を求めていない生徒にとっては、周囲での呼びかけの声や挙動等が学習等の妨げになる。
【０００４】
　なお、パチンコ台その他のゲーム台が並んでいるホール等において、台の上方に不正行為などの表示ランプを設けることは知られており（例えば、特許文献１，特許文献２等）、ゲーム台の利用者の要請を表示するために、操作スイッチと該操作スイッチにより点灯されるランプとを設けることも知られている（例えば、特許文献１）。一方、省電力状態においてパソコン本体部の動作状態を表示するランプをディスプレイ部のフレームの前面（手前側の表面）の上部に設けることも提案されている（例えば、特許文献３）。また、キーボード等を照らす照明を表示装置に取付けることも提案されている。
【０００５】
　しかしながら、いずれも、第三者がランプの点灯等を表示装置の背面側から視認し得るものではない。また、特許文献２や３は、装置の使用者が第三者に報知することを目的とするものではなく、ランプの点灯や消灯は装置の使用者が制御し得るものではない。更に、特許文献１や２は、パソコンの表示装置に係るものではない。
【特許文献１】特開平７−３２８２１９号公報
【特許文献２】特開平１１−１６４９５５号公報
【特許文献３】特開２００３−６７０９３号公報
【考案の開示】
【考案が解決しようとする課題】
【０００６】
　本考案は、前記した点に鑑みなされたものであり、その目的とするところは、コンピュータの利用者が該利用者から離れたところにいる第三者に対して呼びかけたり要求がある旨を伝達可能な表示装置を提供することにある。
【課題を解決するための手段】
【０００７】
　本発明の表示装置は、前記目的を達成すべく、机上に載置される基台部と、該基台部に支持された表示装置本体部であって表示部及び該表示部を支える支持枠部を備えたものとを有し、コンピュータ本体に接続される表示装置であって、表示装置本体部の支持枠部のうち背面側から視認可能な部位に配設された発光報知手段と、表示装置の前面側に配置され該発光報知手段の発光動作を指定する発光指示手段とを有する。
【０００８】
　本発明の表示装置では、「発光報知手段の発光動作を指定する発光指示手段が表示装置の前面側に配置され」ているので、表示装置の使用者（パソコン本体の使用者）が発光指示手段により指定・指示するだけで、発光報知手段による発光動作を行わせ得、特に、「発光報知手段が表示装置本体部の支持枠部のうち背面側から視認可能な部位に配設され」ているので、使用者の発光指示手段による指定・指示によって作動された発光報知手段の発光動作が、使用者から離れたところに位置する第三者によって容易に視認され得る。
【０００９】
　本発明の表示装置において、発光報知手段は、典型的には、支持枠部の背面側から視認可能な部位のうち外周縁部に配設される。この場合、発光報知手段の発光報知を、該表示装置の使用者も直接視認し得る。但し、背面側から視認可能である限り、発光報知手段は、支持枠部の背面側に配設されてもよい。その場合、使用者自身が発光報知動作を実質的に確認し得るように、発光報知手段の作動を表す別の報知手段を、発光指示手段などのところ若しくはその周辺部に更に設けておいてもよい。なお、発光報知手段による発光動作は、表示装置の全周（３６０度の角度範囲）から視認可能であることが好ましい。また、発光報知手段による発光動作が視認可能である限り発光報知手段自体を直接視認し得なくてもよく、発光報知手段の発光が実質的に視認しやすいように、発光報知手段を点滅させたり色光を出させたり導光手段により発光報知手段からの光を種々の位置で種々の方向に放出させるようにしてもよい。
【００１０】
　本発明の表示装置において、発光報知手段は、典型的には、表示装置本体部の支持枠部の外周縁部のうち頂縁部に配設される。この場合、多数の机が前後方向に並んでいても、比較的視認し易い。但し、発光報知手段は、背面側から視認可能である限り、支持枠部の外周縁部のうち側縁その他の部位に配設されてもよい。
【００１１】
　本発明の表示装置では、典型的には、発光報知手段がランプ又は固体発光素子からなる。但し、所望ならば、他の発光報知手段でもよい。発光報知手段は、連続的に一定の強さの光を発するようになっていても、発光強度が変動したり、点滅したり、発光する色が変動するようになっていてもよい。その場合、好ましくは、発光指示手段による指定によって、発光の仕方が変更可能になっていることが好ましい。
【００１２】
　本発明の表示装置では、発光指示手段が、典型的には、支持枠部の前面又は側縁に設けられたスイッチからなる。但し、使用者によって、操作可能である限り、例えば、基台部等他の部位に設けられていてもよい。
【００１３】
　本発明の表示装置では、典型的には、表示部が、ＴＦＴ液晶表示部からなる。但し、ＴＦＴ液晶部の代わりに他の種類の液晶表示部であってもよく、また、液晶表示部の代わりに、ＣＲＴディスプレイや、プラズマパネルや、他のＥＬディスプレイの如き他の種類の表示部であってもよい。
【００１４】
　本発明の表示装置は、典型的には、パソコン本体とは別体で形成され、該パソコン本体とケーブルで接続されている。その場合、パソコン本体は机上に載置されるタイプのものであっても、机の下等に設置される比較的大型のものでもよい。コンピュータ本体は、通常はパソコンとは呼ばれないようなより大型又は上位のものであっても、より小型のものであってもよい。また、表示装置は、パソコン本体に対して別体で形成される代わりに、該パソコン本体と一体的に形成されたものでもよい。
【考案を実施するための最良の形態】
【００１５】
　本考案の好ましい一実施の形態を添付図面に示した好ましい一実施例に基づいて説明する。
【実施例１】
【００１６】
　図１には、本発明による好ましい一実施例の表示装置としてのＴＦＴ液晶表示装置１が示されている。液晶表示装置１は、基台部ないしスタンド（脚部）１０と、表示装置本体部９０とを有し、表示装置本体部９０は、表示部としての液晶表示部２０と、フレームないし支持枠部３０とを有する。支持枠部３０の頂部ないし頂縁部３１の凹部ないし切欠部３２には、手前（前面）３３側及び背面３４側の両方からＡ１，Ａ２方向に視認可能なように、発光報知手段としての発光装置４０が設けられ、支持枠部３０の前面３３の右下部３５には発光装置４０の点灯・消灯や点滅を制御する押釦スイッチ５０が設けられている。ここで、Ａ２方向とは、背面３４側から発光装置４０のところを見る向きを指し、背面３４に対して垂直な向きに限られず、背面３４に対して斜めの向き（例えば、後述の図３の例）を含む。方向Ａ１に関しても、背面３４の代わりに前面３３の側である点を除き同様である。支持枠部３０の前面３３の下部３６には、更に、液晶表示装置１の電源のＯＮ／ＯＦＦを指示ないし制御したり、液晶表示部２０の表示の輝度やコントラストのような表示状態等の変更を指示するスイッチ群６０が設けられている。
【００１７】
　発光装置４０は、図１の（ｂ）から判るように、ＬＥＤ（発光ダイオード）のような発光素子４１と、支持枠部３０の表面に実質的に整合する外表面を備えた透明なカバー４２とを有する。発光素子４１の発熱の影響を避ける役割をする保護カバー４２は、例えば、アクリル板等からなるけれども、発光素子４１からの光の透過を実質的に許容する限り、他のどのような材料でもよく、十分な強度の光の放出を許容し得る限り、所望ならば、発光素子４１からの光を実質的に全方位に向け得るように、光散乱性になっていてもよい。発光素子４１としては、ＬＥＤの代わりに各種のランプでもよく、ランプは例えば蛍光灯（例えば冷陰極蛍光灯）でもよい。
【００１８】
　発光装置４０は、図１の例では、凹部３２において、支持枠部３０に整合するように組込まれているけれども、例えば、図１の（ｂ）において想像線４０ａで示したように、支持枠部３０の頂部３１上に突出するように配設されてもよい。その場合、前後方向Ａ１，Ａ２だけでなく、四方ないし全周（３６０度）から視認し易い。また、発光装置４０は、前面３３側からＡ１方向に視認可能なだけでなく背面３４側からもＡ２方向に視認可能である限り、支持枠部３０の左又は右の側縁部３８，３９に設けられてもよく、その場合にも、支持枠体３０内に組込まれても、図１の（ｂ）において想像線４０ｂや４０ｃで示したように支持枠部３０の側縁３８や３９から突出するように配設されてもよい。
【００１９】
　図２のブロック図で示したように、表示装置１は、基台部ないし脚部１０の筐体部分１１と表示装置本体部９０の支持枠体３０とからなる筐体部２に、液晶表示部ないし液晶パネル部２０、電源等スイッチ部６０及びランプ発光指示スイッチ部５０に加えて、電源基板７１、スピーカ７２及びその音量制御回路部７３、並びに発光素子４１の発光制御回路部７４を有し、電源基板７１には、ＡＣアダプタ８０を介して電力が供給される。なお、液晶表示装置１の液晶パネル２０は、接続ケーブル３を介して、パソコン本体４に接続されている。ここで、パソコン５は、パソコン本体４と表示装置１とからなる。
【００２０】
　この例では、ＴＦＴ用の電源等スイッチ６０が液晶パネル２０の表示回路の電源になり、且つ発光報知部４０の発光素子４１及びその制御部７４がスイッチ５０を介して直接電源基板７１に接続されているので、液晶パネル２０用のスイッチ６０がＯＦＦの状態でも、発光装置４０用のスイッチ５０をＯＮにし且つ所望の発光動作指示状態に設定することにより、発光装置４０の発光素子４１を駆動させて所望の状態で発光（一様な強度での連続点灯や点滅等）させ得る。これにより、表示装置１の表示部２０の動作状態にかかわらず、発光装置４０を発光駆動させて、教師等への発光報知を行って教師等に呼びかけ得る。但し、一群の電源等スイッチ６０のうちの電源スイッチ部分により例えば電源基板７１への主電源の給電路の開閉を行うようにして、電源等スイッチ６０がＯＦＦに設定されて液晶パネル２０での表示動作が停止されている場合には、発光装置用スイッチ５０の状態指定動作が無効になるようにしておいてもよい。また、場合によっては、電源等スイッチ６０のＯＮ／ＯＦＦの状態に応じて、発光装置用スイッチ５０をＯＮにした場合の発光装置４０の発光状態（輝度や色や点滅の仕方等）が異なるようにしておいてもよい。
【００２１】
　発光制御回路部７４は、発光装置４０の発光部の種類により異なり得、例えば、発光装置４０の発光部がＬＥＤの場合には５Ｖ程度の低電圧での発光制御用の電源回路等からなり、発光部が冷陰極蛍光灯の如き蛍光灯の場合にはインバータ等からなる。
【００２２】
　以上の如く構成された液晶表示装置１がパソコン本体４に接続されてなるパソコン５を小・中・高等学校の教室やパソコン教室の如き教育施設の教室Ｒで使用する例を、図３に示した。図３では、教室Ｒ内に、多数（この例ではＮ個とする）の机Ｄｓ１，Ｄｓ２，・・・，Ｄｓｉ，・・・，Ｄｓｋ，・・・ＤｓＮ（生徒Ｓの机を区別しないとき又は総称するときは、符号Ｄｓで表す）が前方に向かって並べられ、一方、教室Ｒの一番前には、教師Ｔの机Ｄｔがある。教師Ｔは、生徒Ｓ１，Ｓ２，・・・，Ｓｉ，・・・，Ｓｋ，・・・ＳＮ（区別しないとき又は総称するときは、符号Ｓで表す）に対してほぼＹ方向に向かって位置している。授業を受ける生徒Ｓ１，Ｓ２，・・・，Ｓｉ，・・・，Ｓｋ，・・・ＳＮは、各机Ｄｓ１，Ｄｓ２，・・・，Ｄｓｉ，・・・，Ｄｓｋ，・・・ＤｓＮに設置されたパソコン５ｓ１，５ｓ２，・・・，５ｓｉ，・・・，５ｓｋ，・・・５ｓＮ（生徒Ｓのパソコンを相互に区別しないとき又は総称するときは、符号５ｓで表す）を前にして、教師Ｔの机Ｄｔに向かって座って授業を受ける。各パソコン５ｓは、液晶表示装置１及びパソコン本体４からなる前述の図１及び図２のパソコン５である。なお、教師Ｔの机Ｄｔにも同様なパソコン５ｔが配設されている。
【００２３】
　授業中、教師Ｔの個別指導等を求めたい生徒Ｓは、自分のパソコン５ｓの液晶表示装置１の押釦スイッチ５０（図３では図示せず、図１及び図２参照）を押して、発光装置４０ｓを点灯させる。図３では、二人の生徒Ｓｉ，Ｓｋが自分の机の上のパソコン５ｓｉ，５ｓｋの押釦スイッチ５０ｓｉ，５０ｓｋ（図３では図示せず、図１及び図２のスイッチ５０を参照）を押した状態であり、生徒Ｓｉ，Ｓｋのパソコン５ｓｉ，５ｓｋの表示装置１ｓｉ，１ｓｋの発光装置４０ｓｉ，４０ｓｋのＬＥＤ４１ｓｉ，４１ｓｋが発光状態にある。
【００２４】
　この表示装置１ｓｉ，１ｓｋでは、ＬＥＤ４１ｓｉ，４１ｓｋを備えた発光装置４０ｓｉ，４０ｓｋが表示装置１ｓｉ，１ｓｋの枠体３０ｓｉ，３０ｓｋの頂縁ないし頂壁３１ｓｉ，３１ｓｋに設けられているので、ＬＥＤ４１ｓｉ，４１ｓｋの光Ｌｓｉ，Ｌｓｋが当該生徒Ｓｉ，Ｓｋ自身は勿論のこと、表示装置１ｓｉ，１ｓｋの背面側で離れたところにいる教師Ｔによって、Ａ２方向に確実に視認され得る。従って、生徒Ｓｉ，Ｓｋが声や挙手によって教師Ｔに対する呼びかけをしなくても、生徒Ｓｉ，Ｓｋが個別の直接的な指導を求めていることを教師Ｔが、容易且つ確実に認識し得る。また、例えば、挙手などをして教師Ｔに意思を伝える場合と比較して、教師Ｔがその要請を認識し易く、教師Ｔが側に来るまで、ＬＥＤ４１ｓｉ，４１ｓｋを点灯状態等に保っておけばよいから、当該生徒Ｓｉ，Ｓｋだけでなく教師Ｔにとってもまた周囲の他の生徒Ｓにとっても負担が少ない。
【００２５】
　また、この表示装置１ｓｉ，１ｓｋでは、ＬＥＤ４１ｓｉ，４１ｓｋを備えた発光装置４０ｓｉ，４０ｓｋが表示装置１ｓｉ，１ｓｋの枠体３０ｓｉ，３０ｓｋの頂縁ないし頂壁３１ｓｉ，３１ｓｋにおいて四方に光Ｌｓｉ，Ｌｓｋを放つから、教師Ｔが教室Ｒの教壇のあるところではなくて教室Ｒ内の他の場所に立っている場合でも、発光状態にあることを視認可能である。
【００２６】
　なお、教師Ｔは、典型的には、発光状態にある発光装置のＬＥＤ４１ｓｉ，４１ｓｋ部分を直接視認し得るけれども、ＬＥＤ４１ｓｉ，４１ｓｋ自体を視認できなくても、ＬＥＤ４１ｓｉ，４１ｓｋが発光状態にあること換言すればＬＥＤ４１ｓｉ，４１ｓｋからの光Ｌｓｉ，ＬｓｋをＡ２方向に視認し得る程度に、ＬＥＤ４１ｓｉ，４１ｓｋが光ればよい。
【００２７】
　また、以上においては、ＬＥＤ４１が、単に連続的に一様な強さで発光するとして説明したけれども、視認をより容易且つ確実にすべく、ＬＥＤ４１が点滅するように制御回路７４（図２）が構成されていてもよい。
【００２８】
　更に、以上においては、ＬＥＤ４１が、特定の色で発光するかの如く説明したけれども、所望ならば、ＬＥＤ４１として複数種類の色で発光可能なものを発光装置４０に組込んでおくと共にスイッチ５０として複数種類の状態を指定可能なスイッチ５０を組込んでおいて、スイッチ５０の押圧などによる設定状態に応じて、複数のＬＥＤ４１のうち所望の色で発光するＬＥＤ４１を作動させることにより、複数種類の要請内容のうち特定の要請を行っている旨を教師Ｔに知らせ得るように発光制御回路部７４を構成しておいてもよい。
【００２９】
　また、以上においては、スイッチ５０の押圧のみによって、制御回路７４が直接的に駆動される例について説明したけれども、例えば、生徒Ｓがスイッチ５０を押す時点におけるパソコン本体４の動作状態に応じて、ＬＥＤ４１の発光ないし点灯状態（色や点滅の有無など）が異なるように、制御回路７４がスイッチ５０と本体３の出力との両方で制御されるようになっていてもよい。但し、その場合においても、パソコン本体４の起動の有無にかかわらず、スイッチ５０の押圧のみによっても、ＬＥＤ４１が発光するように、ＡＣアダプタ８０から電源基板７１などを介して、スイッチ５０に給電されていることが好ましい。
【００３０】
　以上のいずれの場合においても、発光装置４０の発光素子４１がＬＥＤの代わりに、ランプなど他の発光手段でもよい。
【００３１】
　以上においては、パソコン本体４が表示装置１とは別体でタワー型の如く表示装置１から離して配置される種類のデスクトップパソコン本体であるかのごとく示しているけれども、使用状態において表示装置１の頂部３１が机Ｄｓの上で高い位置を採り得る限り、パソコン本体４は表示装置１の基台部１０の下部に配置されるような大きさ及び形状を有するものでも、表示装置１と一体化されたものでもよい。
【００３２】
　以上においては、表示装置１が教育施設で使用される例について説明したけれども、他の場所で第三者に対する呼びかけや第三者の注意を引くために利用されてもよい。また、例えば、一人当たり一台のパソコン５が机上で使用されている状態では、使用者の着席又は離席状態を表したり、離席理由等を表すような場合にも、利用され得る。
【図面の簡単な説明】
【００３３】
【図１】本発明による好ましい一実施例の表示装置を示したもので、（ａ）は枠体部の上面説明図、（ｂ）は表示装置の正面説明図、（ｃ）は一部破断左側面説明図。
【図２】図１の表示装置の模式的なブロック図。
【図３】図１の表示装置を備えたパソコンを多数備えた教室における授業中の状態を示した平面説明図。
【符号の説明】
【００３４】
１，１ｔ，１ｓ１，１ｓ２，・・・，１ｓｉ，・・・，１ｓｋ，・・・１ｓＮ　表示装置
　２　表示装置の筐体
４，４ｔ，４ｓ１，４ｓ２，・・・，４ｓｉ，・・・，４ｓｋ，・・・４ｓＮ　パソコン本体
５，５ｔ，５ｓ１，５ｓ２，・・・，５ｓｉ，・・・，５ｓｋ，・・・５ｓＮ　パソコン
１０　基台部
２０　表示部
３０　支持枠体
３１　頂部
３２　凹部（切欠）
３３　前面
３４　背面
３６　下部
３８，３９　側縁
４０，４０ｔ，４０ｓ，４０ｓ１，４０ｓ２，・・・，４０ｓｉ，・・・，４０ｓｋ，・・・４０ｓＮ　発光装置
４１，４１ｔ，４１ｓ，４１ｓ１，４１ｓ２，・・・，４１ｓｉ，・・・，４１ｓｋ，・・・４１ｓＮ　発光素子
４２　カバー
５０，５０ｔ，５０ｓ，５０ｓ１，５０ｓ２，・・・，５０ｓｉ，・・・，５０ｓｋ，・・・５０ｓＮ　スイッチ
６０　スイッチ群
７４　発光制御回路部
８０　ＡＣアダプタ
９０　表示装置本体部
Ａ１，Ａ２　方向
Ｄｔ，Ｄｓ，Ｄｓ１，Ｄｓ２，・・・，Ｄｓｉ，・・・，Ｄｓｋ，・・・ＤｓＮ　机
Ｌｓｉ，Ｌｓｋ　光
Ｓ，Ｓ１，Ｓ２，・・・，Ｓｉ，・・・，Ｓｋ，・・・ＳＮ　生徒
　Ｔ　教師
【図１】
0003099910.tif 000003
【図２】
0003099910.tif 000004
【図３】
0003099910.tif 000005
【手続補正書】
【提出日】平成15年9月2日(2003.9.2)
【手続補正１】
【補正対象書類名】明細書
【補正対象項目名】０００１
【補正方法】変更
【補正の内容】
【０００１】
　本考案は、表示装置に係り、より詳しくは、コンピュータ本体に接続される表示装置に係る。
【手続補正２】
【補正対象書類名】明細書
【補正対象項目名】０００７
【補正方法】変更
【補正の内容】
【０００７】
　本考案の表示装置は、前記目的を達成すべく、机上に載置される基台部と、該基台部に支持された表示装置本体部であって表示部及び該表示部を支える支持枠部を備えたものとを有し、コンピュータ本体に接続される表示装置であって、表示装置本体部の支持枠部のうち背面側から視認可能な部位に配設された発光報知手段と、表示装置の前面側に配置され該発光報知手段の発光動作を指定する発光指示手段とを有する。
【手続補正３】
【補正対象書類名】明細書
【補正対象項目名】０００８
【補正方法】変更
【補正の内容】
【０００８】
　本考案の表示装置では、「発光報知手段の発光動作を指定する発光指示手段が表示装置の前面側に配置され」ているので、表示装置の使用者（パソコン本体の使用者）が発光指示手段により指定・指示するだけで、発光報知手段による発光動作を行わせ得、特に、「発光報知手段が表示装置本体部の支持枠部のうち背面側から視認可能な部位に配設され」ているので、使用者の発光指示手段による指定・指示によって作動された発光報知手段の発光動作が、使用者から離れたところに位置する第三者によって容易に視認され得る。
【手続補正４】
【補正対象書類名】明細書
【補正対象項目名】０００９
【補正方法】変更
【補正の内容】
【０００９】
　本考案の表示装置において、発光報知手段は、典型的には、支持枠部の背面側から視認可能な部位のうち外周縁部に配設される。この場合、発光報知手段の発光報知を、該表示装置の使用者も直接視認し得る。但し、背面側から視認可能である限り、発光報知手段は、支持枠部の背面側に配設されてもよい。その場合、使用者自身が発光報知動作を実質的に確認し得るように、発光報知手段の作動を表す別の報知手段を、発光指示手段などのところ若しくはその周辺部に更に設けておいてもよい。なお、発光報知手段による発光動作は、表示装置の全周（３６０度の角度範囲）から視認可能であることが好ましい。また、発光報知手段による発光動作が視認可能である限り発光報知手段自体を直接視認し得なくてもよく、発光報知手段の発光が実質的に視認しやすいように、発光報知手段を点滅させたり色光を出させたり導光手段により発光報知手段からの光を種々の位置で種々の方向に放出させるようにしてもよい。
【手続補正５】
【補正対象書類名】明細書
【補正対象項目名】００１０
【補正方法】変更
【補正の内容】
【００１０】
　本考案の表示装置において、発光報知手段は、典型的には、表示装置本体部の支持枠部の外周縁部のうち頂縁部に配設される。この場合、多数の机が前後方向に並んでいても、比較的視認し易い。但し、発光報知手段は、背面側から視認可能である限り、支持枠部の外周縁部のうち側縁その他の部位に配設されてもよい。
【手続補正６】
【補正対象書類名】明細書
【補正対象項目名】００１１
【補正方法】変更
【補正の内容】
【００１１】
　本考案の表示装置では、典型的には、発光報知手段がランプ又は固体発光素子からなる。但し、所望ならば、他の発光報知手段でもよい。発光報知手段は、連続的に一定の強さの光を発するようになっていても、発光強度が変動したり、点滅したり、発光する色が変動するようになっていてもよい。その場合、好ましくは、発光指示手段による指定によって、発光の仕方が変更可能になっていることが好ましい。
【手続補正７】
【補正対象書類名】明細書
【補正対象項目名】００１２
【補正方法】変更
【補正の内容】
【００１２】
　本考案の表示装置では、発光指示手段が、典型的には、支持枠部の前面又は側縁に設けられたスイッチからなる。但し、使用者によって、操作可能である限り、例えば、基台部等他の部位に設けられていてもよい。
【手続補正８】
【補正対象書類名】明細書
【補正対象項目名】００１３
【補正方法】変更
【補正の内容】
【００１３】
　本考案の表示装置では、典型的には、表示部が、ＴＦＴ液晶表示部からなる。但し、ＴＦＴ液晶部の代わりに他の種類の液晶表示部であってもよく、また、液晶表示部の代わりに、ＣＲＴディスプレイや、プラズマパネルや、他のＥＬディスプレイの如き他の種類の表示部であってもよい。
【手続補正９】
【補正対象書類名】明細書
【補正対象項目名】００１４
【補正方法】変更
【補正の内容】
【００１４】
　本考案の表示装置は、典型的には、パソコン本体とは別体で形成され、該パソコン本体とケーブルで接続されている。その場合、パソコン本体は机上に載置されるタイプのものであっても、机の下等に設置される比較的大型のものでもよい。コンピュータ本体は、通常はパソコンとは呼ばれないようなより大型又は上位のものであっても、より小型のものであってもよい。また、表示装置は、パソコン本体に対して別体で形成される代わりに、該パソコン本体と一体的に形成されたものでもよい。
【手続補正１０】
【補正対象書類名】明細書
【補正対象項目名】００１６
【補正方法】変更
【補正の内容】
【００１６】
　図１には、本考案による好ましい一実施例の表示装置としてのＴＦＴ液晶表示装置１が示されている。液晶表示装置１は、基台部ないしスタンド（脚部）１０と、表示装置本体部９０とを有し、表示装置本体部９０は、表示部としての液晶表示部２０と、フレームないし支持枠部３０とを有する。支持枠部３０の頂部ないし頂縁部３１の凹部ないし切欠部３２には、手前（前面）３３側及び背面３４側の両方からＡ１，Ａ２方向に視認可能なように、発光報知手段としての発光装置４０が設けられ、支持枠部３０の前面３３の右下部３５には発光装置４０の点灯・消灯や点滅を制御する押釦スイッチ５０が設けられている。ここで、Ａ２方向とは、背面３４側から発光装置４０のところを見る向きを指し、背面３４に対して垂直な向きに限られず、背面３４に対して斜めの向き（例えば、後述の図３の例）を含む。方向Ａ１に関しても、背面３４の代わりに前面３３の側である点を除き同様である。支持枠部３０の前面３３の下部３６には、更に、液晶表示装置１の電源のＯＮ／ＯＦＦを指示ないし制御したり、液晶表示部２０の表示の輝度やコントラストのような表示状態等の変更を指示するスイッチ群６０が設けられている。
【手続補正１１】
【補正対象書類名】明細書
【補正対象項目名】００３３
【補正方法】変更
【補正の内容】
【００３３】
【図１】本考案による好ましい一実施例の表示装置を示したもので、（ａ）は枠体部の上面説明図、（ｂ）は表示装置の正面説明図、（ｃ）は一部破断左側面説明図。
【図２】図１の表示装置の模式的なブロック図。
【図３】図１の表示装置を備えたパソコンを多数備えた教室における授業中の状態を示した平面説明図。